(57)【要約】【課題】施工の容易で、且つ構築後の壁面に加わる横方向からの外力に対しても十分な強度を有するばかりでなく、雨水の浸入対策を施した壁面用ブロックを提供する。【解決手段】壁面用ブロック１の上面長手方向に凹凸条３を形成し、ブロック１の底面長手方向に、直下に位置する他のブロック１の凹凸条３が嵌合可能な凹凸溝４を設ける。凹凸条３は、任意の高さを有する一対の立上り面３ａ及び３ｂによって立設され、凹凸条３の断面形状を三角状凹面３ｄ及び三角状凸面３ｃが連続した山脈状に形成し、凹凸溝４は、立上り面３ａ及び３ｂの高さ分だけ削成された内壁面４ａ及び４ｂを有し、凹凸条３の尾根部と合致する谷部を有する三角状凹面４ｃ及び三角状凸面４ｄが連続した渓谷状に形成する。【選択図】  図１
2015206190.tif 000002
【特許請求の範囲】
【請求項１】
ブロックの長手方向上面側に設けられた凹凸条と、ブロックの長手方向下面側に設けられ前記凹凸条と噛合可能にされた凹凸溝とを有し、複数個のブロックを上下及び左右方向に積層して壁面を形成する壁面用ブロックにおいて、前記凸条を、前記凹凸条及び凹凸溝の断面形状を三角形が上下反転しながら連続する形状に形成したことを特徴とする請求項１記載の壁面用ブロック。
【請求項２】
ブロックの左右両端に凹凸噛合する係合部を設けたことを特徴とする請求項１記載の壁面用ブロック。
【請求項３】
ブロックが木製であることを特徴とする請求項１又は請求項２に記載の壁面用ブロック。
【発明の詳細な説明】
【技術分野】
【０００１】
本発明は、家屋等の壁面を形成する壁面用ブロックに関するものである。
【背景技術】
【０００２】
例えば、木材のみを積層して壁面を構成した建物としては、古くは校倉造の倉庫、現代はログハウスがある。特に、近年はアウトドア志向からログハウスの需要は上昇傾向にある。ログハウスの利点は、自然な木目による美観のみならず、壁面を形成する木材が呼吸をすることにより、室内を適度な湿度に保つことができるといった人工的な建材にはない優れた特性がある。しかしながら、丸太材を使用したログハウスの建築には、均等なサイズの木材の調達や、木材加工、設計施工において熟練した技術を要し、個々人で建設することは甚だ困難であり、専門業者に頼らざるを得ない。
【０００３】
そこで、本発明者はログハウス施工の専門業者でなくとも、また、特殊な技術や機材を用いることなく、比較的簡単にログハウスを建築する目的で、特許文献１及び特許文献２において「木製ブロック」を、また、特許文献３において「家屋等の壁面用のブロック」を提案している。これらの技術は、長尺の木材を積層するのではなく、短尺なブロック状の木材を連結しながら積層することにより、長尺の木材を積層した場合と同様の木製壁を形成できるものである。また、特許文献２に示したものは、ブロックの中心付近を境にして傾斜面を一方側と他方側の交互に形成し、ブロックを裏表の方向性に配慮することなく積層でき、容易に壁面を形成できるものである。したがって、本発明者が開発した木製ブロックによると、基礎上に立設された長尺ボルトに挿通させながら、あたかも積み木を積み上げる程度の簡単な手作業で家屋等の木製壁を容易に作ることができる。
【０００４】
さらに、本発明者は特許文献４、特許文献５において、ブロックの連結部分から浸透する雨水の排出や毛細管現象による雨水の浸入防止策を提案している。
【先行技術文献】
【特許文献】
【０００５】
【特許文献１】特開平２−１７７１１号公報
【特許文献２】特公平６−５０００７号公報
【特許文献３】再表Ｏ００／４３６０６号公報
【特許文献４】特開２００３−４２５６８５号公報
【特許文献５】特開２００７−２９７８２４号公報
【特許文献６】特開２０１０−９５９１４号公報
【発明の概要】
【発明が解決しようとする課題】
【０００６】
また、上記従来の木製ブロックは、単なる凹凸部の雌雄嵌合により積層しているため、積層後に加わる横方向の外力、すなわち、組み合わせたブロックの左右からの外力に抗する強度に若干の脆弱性があることが判明した。そこで、本発明者は凹凸条及び凹凸溝の表面形状を円弧面が上下反転しながら連続した波状面に形成した壁面用ブロックを提案している（特許文献６参照。）本発明は、上記従来のブロックの種々の課題に鑑み、施工の容易性を踏襲しながらも構築後の壁面に加わる横方向からの外力に対しても十分な強度を有するばかりでなく、雨水の浸入対策を施した壁面用ブロックを提供することを目的とするものである。
【課題を解決するための手段】
【０００７】
このため本発明の壁面用ブロックは、ブロックの長手方向上面側に設けられた凹凸条と、ブロックの長手方向下面側に設けられ前記凹凸条と噛合可能にされた凹凸溝とを有し、複数個のブロックを上下及び左右方向に積層して壁面を形成する壁面用ブロックにおいて、前記凸条を、前記凹凸条及び凹凸溝の断面形状を三角形が上下反転しながら連続する形状に形成したことを第１の特徴とする。また、ブロックの左右両端に凹凸噛合する係合部を設けたことを第２の特徴とする。さらに、ブロックが木製であることを第３の特徴とする。
【発明の効果】
【０００８】
本発明に係る壁面用ブロックによれば、構築後の壁面に加わる横方向からの外力に対して十分な強度を得ることができるばかりでなく、雨水の浸入を防止できる。
【図面の簡単な説明】
【０００９】
【図１】本発明に係る壁面用ブロックの一実施例を示す斜視図である。
【図２】図１の平面図である。
【図３】図１の正面図である。
【図４】（ａ）は図１の右側面図、（ｂ）は図１の左側面図、（ｃ）は図１の側面断面図である。
【図５】本発明のブロックを用いて壁面を構築する状態を示す斜視図である。
【発明を実施するための形態】
【００１０】
以下、本発明の実施の形態を図面に示す実施例にしたがって説明する。
【実施例】
【００１１】
図１乃至図４に示すように、本実施例の壁面用ブロック１（以下、単にブロックという）は、木製で、その両端に設けられた突片２ａ及び凹所２ｂとからなる係合部２と、ブロック１の上面長手方向に形成された凹凸条３と、ブロック１の底面長手方向に設けられ、直下に位置する他のブロック１の凹凸条３が嵌合可能にされた凹凸溝４と、ブロック１を積層する際の位置決め手段となる一対の貫通孔５とからなる。これにより、所望の位置で、縦方向及び横方向において複数のブロック１を容易に積層連結することができる。
【００１２】
本発明の最大の特徴は、任意の高さを有する一対の立上り面３ａ及び３ｂによって立設される凹凸条３は、ブロック１の凹凸条３の断面形状を三角形がブロック１の長手方向に上下反転しながら連続する形状、すなわち、三角形状の山谷が連続した山脈状に形成され、ブロック１の長手方向底面には、前記立上り面３ａ及び３ｂの高さ分だけ削成された内壁面４ａ及び４ｂを有する凹凸溝４が形成され、この凹凸溝４は凹凸条３の三角状凹面３ｄ及び三角状凸面３ｃが連続した尾根に合致する谷を有する三角状凹面４ｃ及び三角状凸面４ｄが連続した渓谷状に形成されている点にある。このため凹凸条３に凹凸溝４を嵌合した際に、前記三角状凹面３ｄと三角状凸面４ｄ及び三角凸面３ｃと三角状凹面４ｃが、ブロック１の長手方向の如何なる位置においても噛合し、構築された壁面の横方向、すなわち左右方向へのブロック１の移動が規制され、構築後の壁面に加わる横方向からの外力に対しても十分な強度を得ることができる。
【００１３】
係合部２の突片２ａは、凹凸条３から連続して形成されており、凹所２ｂはこの突片２ａの突出長に応じた長さの切欠きとされ、それぞれ他のブロック１の左右端部と係合してブロック１は水平方向に連結できるようにされている。
【００１４】
ブロック１の積層に際して施工者は、その裏表方向に特段の配慮を要することなく連結できる。すなわち、ブロック１の前面６と背面７とは同意匠に形成されているため、壁の内外観は同様に現れることになる。図５に示すように、壁面の組立ては、水平方向においては、ブロック１の係合部２と他のブロック１の係合部２とを係合させ、鉛直方向においては、コンクリート基礎（図示せず）上に所定の間隔をもって立設された長尺ボルト８にブロック１の貫通孔５を挿通させながら、凹凸条３上に他のブロック１の凹凸溝４を嵌合させることにより行なう。上積みするブロック１の係合部２は、その直下に位置する他のブロック１の略中央に位置し、上下のブロック１が千鳥状に配置されるように長尺ボルト８により位置決めされる。
【００１５】
ブロック１を積層して家屋等の壁面を構築した際に、雨水等が壁面内部に浸入する箇所は隣接するブロック１同士の上下、左右の連結部分９及び１０であるが、ブロック１の上面に立上り面３ａ、３ｂを有する嵌合凸部３が設けられ、さらに嵌合凸部３はその上に三角状凸面３ｃ、三角状凹面３ｄが形成されており、雨水の浸入を確実に防止することができる。
【００１６】
尚、本発明の要旨は、ブロックの接合が山脈状凸部と渓谷状凹部とから形成されるものであり、ブロックの上下の接合面が左右方向からの外力によりずれることを規制する点にある。したがって、その尾根あるいは谷の稜部分は頂部は尖っている必要はなく、なだらかな弧面状に形成されるものでもよい。
【００１７】
また、本発明のブロックは、その材質において特に制限されるものではなく、木製は言うまでも無く、合成樹脂、金属、セラミック等も好適に使用できる。例えば、合成樹脂製では知育玩具などに適用でき、耐燃焼性のセラミックやコンクリート製であれば焼却炉など構築できる。特に、壁面の構築をブロック同士の嵌合と長尺ボルトの挿通のみによって行うので、接合剤等を用いることなく壁面を形成できるので広範囲な応用が可能である。とくに、本発明においては、ブロック１の表裏面となる前面側層と背面側層、凹凸条３及び凹凸溝４を形成した中間層の三つの部分を予め分けて別々に製作したものを接合して形成することもできる。この場合、前面側層と背面側層は実質的に同一の形状となるので、部品としては２種のみを製作すればよく、加工の手間が一段と省力化できる。
【符号の説明】
【００１８】
１    壁面用ブロック
２    係合部
２ａ  突片
２ｂ  凹所
３    凹凸条
３ａ  立上り面
３ｂ  立上り面
３ｃ  三角状凸面
３ｄ  三角状凹面
４    凹凸溝
４ａ  内壁面
４ｂ  内壁面
４ｃ  三角状凹面
４ｄ  三角状凸面
５    貫通孔
６    ブロックの前面
７    ブロックの背面
８    長尺ボルト
９    ブロックの上下連結部
１０  ブロックの左右連結部
【図１】
2015206190.tif 000003
【図２】
2015206190.tif 000004
【図３】
2015206190.tif 000005
【図４】
2015206190.tif 000006
【図５】
2015206190.tif 000007